【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
デジタルオーディオ信号を処理する信号処理方法において、
ａ）価値が損なわれていないオーディオ情報を表すデジタルオーディオ信号を準備するステップと、
ｂ）上記デジタルオーディオ信号を圧縮及び暗号化し、上記デジタルオーディオ信号のオーディオ情報に対して、該オーディオ情報の実質的に価値が低下していない第１の圧縮され、暗号化されたオーディオ信号を生成するステップと、
ｃ）暗号化されていない第２のオーディオ信号を生成するステップと、
ｄ）上記第１及び第２のオーディオ信号を結合し、上記圧縮され、暗号化された第１のオーディオ信号及び暗号化されていない第２のオーディオ信号を含む結合信号を生成するステップとを有する信号処理方法。
【請求項２】
上記デジタルオーディオ信号は、上記第１のオーディオ信号を生成するために、可逆圧縮されていることを特徴とする請求項１記載の信号処理方法。
【請求項３】
上記第１のオーディオ信号は、上記結合信号における雑音として働くことを特徴とする請求項１又は２記載の信号処理方法。
【請求項４】
上記第１及び第２の信号を結合するステップは、上記第２の信号における雑音として上記第１の信号を埋め込むステップを含むことを特徴とする請求項３記載の信号処理方法。
【請求項５】
上記第１及び第２の信号を結合するステップは、上記第１の信号の少なくとも一部を第２の信号に添付するステップを含むことを特徴とする請求項１乃至請求項３いずれか１項記載の信号処理方法。
【請求項６】
上記第２の信号を生成するステップは、上記デジタル信号の価値を低下させるステップを有することを特徴とする請求項１乃至４いずれか１項記載の信号処理方法。
【請求項７】
上記第２の信号を生成するステップは、上記デジタル信号と、該デジタル信号の価値を低下させる第３の信号とを結合するステップを有することを特徴とする請求項５記載の信号処理方法。
【請求項８】
上記第３の信号を変調し、該変調された第３の信号を上記デジタル信号に結合するステップを更に有する請求項５記載の信号処理方法。
【請求項９】
上記第１の信号を生成するステップは、上記デジタル信号を圧縮し、該圧縮されたデジタル信号のビット数を実質的に増加させることなく該圧縮されたデジタル信号を暗号化するステップを有することを特徴とする請求項１乃至８いずれか１項記載の信号処理方法。
【請求項１０】
上記第２の信号は、各サンプルが上位ビット及び下位ビットを有するサンプリングされたデジタル信号であることを特徴とする請求項１乃至９いずれか１項記載の信号処理方法。
【請求項１１】
上記デジタル信号は、固定小数点フォーマットを有することを特徴とする請求項１０記載の信号処理方法。
【請求項１２】
上記第１の信号は、上記第２の信号の下位ビットを上記第１の信号の少なくとも幾つかのビットに置換することによって上記第２の信号に結合されることを特徴とする請求項１０又は１１記載の信号処理方法。
【請求項１３】
上記第２の信号の所定数の下位ビットは、上記第１の信号の少なくとも幾つかのビットに置換されることを特徴とする請求項１２記載の信号処理方法。
【請求項１４】
上記結合信号において、上記第２の信号を表す上位ビットの上記第１の信号のビットを表す下位ビットに対する比率は、可変であることを特徴とする請求項１２記載の信号処理方法。
【請求項１５】
上記比率は、第１のデジタル信号に適用された圧縮率に基づいて決定されることを特徴とする請求項１４記載の信号処理方法。
【請求項１６】
上記結合信号は、該結合信号のどのビットが下位ビットであり、どのビットが上位ビットであるかを示すデータを含むことを特徴とする請求項１２乃至１５いずれか１項記載の記載の信号処理方法。
【請求項１７】
上記第２の信号のデータ量を低減するステップを有する請求項１０乃至１６いずれか１項記載の信号処理方法。
【請求項１８】
上記第２の信号のサンプリングレートを減少させるステップを有する請求項１７記載の信号処理方法。
【請求項１９】
上記第１の信号を含むファイルと、上記第２の信号を含むファイルとを準備するステップを有する請求項１０乃至１８いずれか１項記載の信号処理方法。
【請求項２０】
上記第２の信号を表す上位ビットの上記第１の信号のビットを表す下位ビットに対する比率は、上記第１の信号及び第２の信号のファイルのビット数に基づいて決定されることを特徴とする請求項１９記載の信号処理方法。
【請求項２１】
上記第１の信号のビットは、上記暗号化された信号ファイル内の上記暗号化されたビットの総数の上記第２の信号のサンプルの総数に対する比率に基づいて、上記第２の信号のサンプルに亘って分散されていることを特徴とする請求項１９記載の信号処理方法。
【請求項２２】
上記比率は、分子及び分母が整数の分数Ｍ／Ｎによって近似され、Ｎ個のサンプルのグループを選択し、該各グループのＮ個のサンプルに亘って、対応するＭ個のビットの組を分散させるステップを有する請求項２１記載の信号処理方法。
【請求項２３】
ａ）Ｘを０〜Ｎ−１のサンプルの序数的な番号とし、ＲをＭ／Ｎとし、Ｓ＝２Ｒとして、Ａ’［Ｘ］＝（Ａ［Ｘ］／Ｓ）＊Ｓに基づいて、上記Ｎ個のサンプルのそれぞれの値Ａをスケーリングするステップと、
ｂ）各ＸをＮ−１〜０とし、ＶをＶ−Ｖ／ＳＸに置換し、Ｘ＝Ｎ−１のときＶの初期値をＭビットの値として、Ｘ＞０の場合、Ａ’［Ｘ］をＡ”［Ｘ］＝Ａ’［Ｘ］＋Ｖ／ＳＸに置換し、Ｘ＝０の場合、Ａ”［０］＝Ａ’［０］＋ｍｏｄＳに置換するステップとを有する請求項２２記載の信号処理方法。
【請求項２４】
上記第２の信号は、上位ビット及び下位ビットを有するサンプリングされたデジタル信号であり、
上記第２の信号を、各複数のサンプルを含むブロックに分割するステップを有することを特徴とする請求項１乃至１１いずれか１項記載の信号処理方法。
【請求項２５】
上記第２の信号の全てのブロックは、同じ所定の数のサンプルを含んでいることを特徴とする請求項２４記載の信号処理方法。
【請求項２６】
上記第２の信号の信号レベルを分析するステップと、
該信号レベルに基づいて、１ブロックあたりのサンプル数を設定ステップとを有する請求項２４又は２５記載の信号処理方法。
【請求項２７】
上記第２の信号においては、ブロック毎のサンプル数が異なることを特徴とする請求項２４記載の信号処理方法。
【請求項２８】
上記第２の信号の信号レベルを分析するステップと、
上記ブロック内の信号サンプルのレベルの関数に基づいて、ブロック内のサンプル数を設定するステップとを有する請求項２７記載の信号処理方法。
【請求項２９】
上記第２の信号に、ブロックの境界を示すデータを格納するステップを有する請求項２４乃至２８いずれか１項記載の信号処理方法。
【請求項３０】
上記第１の信号は、上記第２の信号の下位ビットを上記第１の信号のビットに置換することによって該第２の信号に結合され、
各ブロックにおける上記第２の信号を表す上位ビットの上記第１の信号のビットを表す下位ビットに対する比率は、ブロック内の上記第２の信号のサンプルの信号レベルの関数であることを特徴とする請求項２９記載の信号処理方法。
【請求項３１】
上記ブロック境界を示すデータは、各ブロック内のサンプル数を示すデータを含んでいることを特徴とする請求項３０記載の信号処理方法。
【請求項３２】
上記第１の信号を生成するステップは、上記デジタルオーディオ信号を圧縮し、暗号化するステップを有し、
少なくとも上記暗号化ステップは、上記圧縮されたデジタルオーディオ信号のセクションを選択し、各セクションを個別に暗号化し、
更に、上記第１の信号において、セクション境界を示すデータを提供するステップを有することを特徴とする請求項１乃至１１いずれか１項記載の信号処理方法。
【請求項３３】
上記圧縮及び暗号化されるデジタルオーディオ信号を含むファイルを準備するステップを有する請求項３２記載の信号処理方法。
【請求項３４】
ファイルの全体を圧縮し、該圧縮されたファイルの上記セクションを暗号化するステップを有する請求項３３記載の信号処理方法。
【請求項３５】
上記ファイルのセクションを選択するステップと、
上記各セクションを個別に圧縮及び暗号化するステップと、
上記セクションを少なくとも特定するデータを各セクションに格納するステップとを有する請求項３３記載の信号処理方法。
【請求項３６】
１つの暗号化鍵に基づいて、少なくとも１つのセクションを暗号化するステップと、
他の鍵に基づいて、少なくとも１つの他のセクションを暗号化するステップと、
上記セクションと鍵の間の対応関係を示すデータを保存するステップとを有する請求項３２乃至３５いずれか１項記載の信号処理方法。
【請求項３７】
上記対応関係を示すデータは、上記第１のデジタル信号に保存されることを特徴とする請求項３６記載の信号処理方法。
【請求項３８】
上記セクション境界を示すデータは、該セクションに含まれるデータを特定することを特徴とする請求項３２乃至３７いずれか１項記載の信号処理方法。
【請求項３９】
少なくとも上記第２の信号の一部を圧縮するステップを有し、上記結合するステップは、上記第１の信号を上記圧縮された第２の信号に結合することを特徴とする請求項１乃至３７いずれか１項記載の信号処理方法。
【請求項４０】
請求項１乃至１６いずれかに従属する場合、
上記圧縮された第２の信号は、そのデータ構造内に補助データ空間を有し、
更に、上記圧縮された第２の信号の補助データ空間内に、少なくとも上記第１のデジタル信号の幾つかのビットを格納するステップを有することを特徴とする請求項３９記載の信号処理方法。
【請求項４１】
上記第２の信号は、ＭＰＥＧ規格に基づいて圧縮されることを特徴とする請求項３９又は４０記載の信号処理方法。
【請求項４２】
上記第１のデジタル信号を生成するステップは、
ストリーミングソースからデジタルストリームを受け取るステップと、
該デジタルストリームを、それぞれが所定のサンプル数を含むセグメントに分割するステップと、
該各セグメントを個別に圧縮及び暗号化するステップとを有する請求項１０又は１１記載の信号処理方法。
【請求項４３】
同じ鍵に基づいて、全てのセクションを暗号化し、又は１つの暗号化鍵に基づいて、少なくとも１つのセクションを暗号化するステップと、
他の鍵に基づいて、少なくとも１つの他のセクションを暗号化するステップと、
上記セクションと鍵の間の対応関係を示すデータを保存するステップとを有する請求項４２記載の信号処理方法。
【請求項４４】
上記対応関係を示すデータは、上記第１のデジタル信号に保存されることを特徴とする請求項４３記載の信号処理方法。
【請求項４５】
上記第１の信号は、上記第２の信号のサンプルにおいて、該第２の信号の下位ビットを上記第１の信号の少なくとも幾つかのビットに置換することによって上記第２の信号に結合されることを特徴とする請求項４２乃至４４いずれか１項記載の信号処理方法。
【請求項４６】
上記第２の信号のサンプルの予め定められた所定の数の下位ビットは、第１の信号のビットによって置換されることを特徴とする請求項４５記載の信号処理方法。
【請求項４７】
上記結合信号のサンプルにおいて、上記第２の信号を表す上位ビットの上記第１の信号のビットを表す下位ビットに対する比率は、可変であることを特徴とする請求項４６記載の信号処理方法。
【請求項４８】
上記比率は、第１の信号に適用された圧縮率に基づいて決定されることを特徴とする請求項４７記載の信号処理方法。
【請求項４９】
上記結合信号は、該結合信号のどのビットが下位ビットであり、どのビットが上位ビットであるかを示すデータを含むことを特徴とする請求項４５乃至４８いずれか１項記載の信号処理方法。
【請求項５０】
上記第１のデジタル信号の少なくとも一部を第２の信号に添付するステップを有する請求項４５乃至４９いずれか１項記載の信号処理方法。
【請求項５１】
比率Ｍ／Ｎを分子及び分母が整数の分数として、Ｎ個のサンプルのグループを選択するステップと、該各グループのＮ個のサンプルに亘って、上記第１の信号の対応するＭ個のビットの組を分散させるステップを有する請求項４２乃至４４いずれか１項記載の信号処理方法。
【請求項５２】
ａ）Ｘを０〜Ｎ−１のサンプルの序数的な番号とし、ＲをＭ／Ｎとし、Ｓ＝２Ｒとして、Ａ’［Ｘ］＝（Ａ［Ｘ］／Ｓ）＊Ｓに基づいて、上記Ｎ個のサンプルのそれぞれの値Ａをスケーリングするステップと、
ｂ）各ＸをＮ−１〜０とし、ＶをＶ−Ｖ／ＳＸに置換し、Ｘ＝Ｎ−１のときＶの初期値をＭビットの値として、Ｘ＞０の場合、Ａ’［Ｘ］をＡ”［Ｘ］＝Ａ’［Ｘ］＋Ｖ／ＳＸに置換し、Ｘ＝０の場合、Ａ”［０］＝Ａ’［０］＋ｍｏｄＳに置換するステップとを有する請求項５１記載の信号処理方法。
【請求項５３】
上記結合信号を記録媒体に記録するステップを有する請求項１乃至５２いずれか１項記載の信号処理方法。
【請求項５４】
上記結合信号を信号配信システムに供給するステップを有する請求項１乃至５２いずれか１項記載の信号処理方法。
【請求項５５】
上記結合信号を伝送システムに供給するステップを有する請求項１乃至５１いずれか１項記載の信号処理方法。
【請求項５６】
デジタル信号を処理するための信号処理装置において、
完全な価値が損なわれていないオーディオ情報を表すデジタルオーディオ信号を受け取る入力端子と、
上記デジタルオーディオ信号を圧縮及び暗号化し、上記デジタルオーディオ信号のオーディオ情報に対して、オーディオ情報の実質的に価値が低下していない第１の圧縮され、暗号化されたオーディオ信号を生成する圧縮器及び暗号化器と、
暗号化されていない第２のオーディオ信号を受け取るための入力端子と、
ｓ上記第１及び第２のオーディオ信号を結合し、上記圧縮され、暗号化された第１の信号及び暗号化されていない第２の信号を含む結合信号を生成する結合器とを備える信号処理装置。
【請求項５７】
上記価値が低下していないオーディオ情報を表すデジタルオーディオ信号を生成する第１の信号生成器を備える請求項５６記載の信号処理装置。
【請求項５８】
上記暗号化されていない第２の信号を生成する第２の信号生成器を備える請求項５６又は５７記載の信号処理装置。
【請求項５９】
上記第２の信号生成器は、上記デジタルオーディオ信号の価値を低下させ、上記第２の信号を生成する信号価値低下器を備えることを特徴とする請求項５８記載の信号処理装置。
【請求項６０】
上記第２の信号生成器は、上記第２のデジタルオーディオ信号の価値を低下させる更なる信号を上記デジタルオーディオ信号に結合し、上記第２の信号を生成する更なる結合器を備えることを特徴とする請求項５９記載の信号処理装置。
【請求項６１】
上記更なる信号を変調する変調器を備え、
上記更なる結合器は、上記変調された更なる信号を上記デジタルオーディオ信号に結合して上記第２の信号を生成することを特徴とする請求項６０記載の信号処理装置。
【請求項６２】
上記第２の信号は、各サンプルが上位ビット及び下位ビットを有するサンプリングされたデジタル信号であり、
上記信号結合器は、上記第２の信号の下位ビットを上記第１の信号の少なくとも幾つかのビットに置換することによって、上記第２の信号に第１の信号を結合することを特徴とする請求項６１記載の信号処理装置。
【請求項６３】
上記信号結合器は、上記圧縮器によって達成された圧縮比に基づいて、下位ビット数の上位ビット数に対する比率を制御することを特徴とする請求項６２記載の信号処理装置。
【請求項６４】
上記信号結合器は、上記第２の信号に、上記第１のデジタル信号の少なくとも一部を添付することを特徴とする請求項６２又は６３記載の信号処理装置。
【請求項６５】
上記信号結合器は、上記暗号化された信号ファイル内の上記暗号化されたビットの総数の上記第２の信号のサンプルの総数に対する比率に基づいて、上記第１の信号のビットを上記第２の信号のサンプルに亘って分散させることを特徴とする請求項５６乃至６１いずれか１項記載の信号処理装置。
【請求項６６】
上記比率は、分子及び分母が整数の分数Ｍ／Ｎによって近似され、Ｍ／Ｎより小さく、Ｎ個のサンプルのグループを選択し、該各グループのＮ個のサンプルに亘って、上記第１の信号の対応するＭ個のビットの組を分散させることを特徴とする請求項６５記載の信号処理装置。
【請求項６７】
上記信号結合器は、
ａ）Ｘを０〜Ｎ−１のサンプルの序数的な番号とし、ＲをＭ／Ｎとし、Ｓ＝２Ｒとして、Ａ’［Ｘ］＝（Ａ［Ｘ］／Ｓ）＊Ｓに基づいて、上記Ｎ個のサンプルのそれぞれの値Ａをスケーリングするステップと、
ｂ）各ＸをＮ−１〜０とし、ＶをＶ−Ｖ／ＳＸに置換し、Ｘ＝Ｎ−１のときＶの初期値をＭビットの値として、Ｘ＞０の場合、Ａ’［Ｘ］をＡ”［Ｘ］＝Ａ’［Ｘ］＋Ｖ／ＳＸに置換し、Ｘ＝０の場合、Ａ”［０］＝Ａ’［０］＋ｍｏｄＳに置換するステップとを実行することを特徴とする請求項６６記載の信号処理装置。
【請求項６８】
上記第２の信号を圧縮する更なる圧縮器を備え、上記信号結合器は、上記第１の信号を圧縮された第２の信号に結合することを特徴とする請求項５６乃至６７いずれか１項記載の信号処理装置。
【請求項６９】
上記更なる圧縮器の圧縮比は、上記圧縮器によって達成される圧縮比に依存することを特徴とする請求項６８記載の信号処理装置。
【請求項７０】
上記圧縮器及び暗号化器は、可逆圧縮され、暗号化された第１のオーディオ信号を生成することを特徴とする請求項５６乃至６９いずれか１項記載の信号処理装置。
【請求項７１】
実質的に価値が低下していない、圧縮され、暗号化された第１のデジタルオーディオ信号と、暗号化されていない第２のデジタルオーディオ信号の組合せを含むデータ構造。
【請求項７２】
上記第１の信号は、上記第２の信号に埋め込まれていることを特徴とする請求項７１記載のデータ構造。
【請求項７３】
上記結合された信号のサンプルの上位ビットは、上記第２の信号を表し、該サンプルの下位ビットは、上記第１の信号を表すことを特徴とする請求項７１記載のデータ構造。
【請求項７４】
上記上位ビットと下位ビットの間の境界を示すデータを含むことを特徴とする請求項７３記載のデータ構造。
【請求項７５】
１サンプルあたりの下位ビットの上位ビットに対する比率が可変であることを特徴とする請求項７３又は７４記載のデータ構造。
【請求項７６】
上記第２の信号は、補助データ空間を有するデータフォーマットに基づいて圧縮され、上記第１のデジタル信号は、該補助データ空間に格納されることを特徴とする請求項７１記載のデータ構造。
【請求項７７】
上記第１のデジタル信号の少なくとも一部は、上記第２の信号に添付されていることを特徴とする請求項７１乃至７６いずれか１項記載のデータ構造。
【請求項７８】
上記データは、それぞれが複数のサンプルを含むブロック内に格納され、当該データ構造は、該ブロック内のサンプル数を示すデータを含むことを特徴とする請求項７１記載のデータ構造。
【請求項７９】
上記第１のデジタルオーディオ信号を暗号化するために用いられる少なくとも１つの暗号化鍵を特定するデータを含むことを特徴とする請求項７１乃至７８いずれか１項記載のデータ構造。
【請求項８０】
上記ブロックは、Ｎ個のサンプルのグループを含み、上記第１の信号のＭ個のビットが該各グループのＮ個のサンプルに亘って分散されており、比率Ｍ／Ｎは、分子及び分母が整数の分数であることを特徴とする請求項７８又は７９記載のデータ構造。
【請求項８１】
上記ブロックを示すデータを含むことを特徴とする請求項８０記載のデータ構造。
【請求項８２】
上記第２の信号は、デジタル信号によって表されたオーディオ信号の価値が低下されたバージョンであることを特徴とする請求項７１乃至８１いずれか１項記載のデータ構造。
【請求項８３】
オーディオ情報の価値が実質的に低下されていない、第１の、圧縮されて、暗号化されたデジタルオーディオ信号と、該第１の信号に結合された第２の信号との組合せからなる結合信号から該第１の信号を復元する信号復元方法において、
上記結合信号から上記第１の信号を分離するステップと、上記分離された第１の信号を復号するステップと、上記復号された第１の信号を伸長し、実質的に価値が低下されていないオーディオ情報を復元するステップとを有する信号復元方法。
【請求項８４】
上記第１の信号は、上記結合信号の下位ビットによって表され、上記第２の信号は、上記上位ビットによって表され、上記上位ビットを削除して、上記第２の信号から上記第１の信号を分離するステップを有することを特徴とする請求項８３記載の信号復元方法。
【請求項８５】
上記第１の信号は、上記第２の信号に添付され、上記第２の信号を削除するステップを有することを特徴とする請求項８４記載の信号復元方法。
【請求項８６】
上記第２の信号は、上記第１の信号が格納される補助データ空間を有するフォーマットに基づいて圧縮された信号であり、該補助データ空間から第１の信号を抽出するステップを有する請求項８３記載の信号復元方法。
【請求項８７】
上記第１及び第２の信号は、請求項５２記載の信号処理方法に基づいて結合され、Ｎ個の各サンプルについて、Ｘを０に設定し、Ｖを０に設定し、Ｘ＝０〜Ｎ−１について、ＶをＶ＝Ｖ＋Ａ’［Ｘ］ｍｏｄＳ＊ＳＸに置換するステップを有する請求項８３記載の信号復元方法。
【請求項８８】
圧縮され、暗号化され、第２の信号に結合されたデジタル信号を復元する信号復元装置において、
上記圧縮され、暗号化された信号を上記第２の信号から分離する分離器と、
上記分離された信号を復号する復号器と、
上記復号された信号を伸長する伸長器とを備える信号復元装置。
【請求項８９】
少なくとも第１及び第２のプロセッサを備えるシステムにおいて、該第１のプロセッサから該第２のプロセッサにコンテンツを表すデジタル信号を伝送する伝送方法において、
上記第１のプロセッサを用いて、請求項１乃至５５いずれか１項記載の信号処理方法を実行し、上記結合信号を生成し、該結合信号を特定する識別子を該結合信号に関連付けるステップと、
上記識別子を保存するステップと、
上記結合信号を上記第２のプロセッサに送信するステップと、
上記第２のプロセッサにおいて、上記結合信号に関連する識別子を導出するステップと、
所定の条件が満たされた場合、上記識別子に関連付けられ、上記暗号化された第１の信号を復号するための少なくとも１つの鍵を上記第２のプロセッサに送信するステップと、
上記第２のプロセッサを用いて該第２の信号から上記第１の信号を分離し、該第１の信号を復元するステップとを有する伝送方法。
【請求項９０】
取引サーバと、少なくとも第１及び第２のクライアントとを備えるシステムにおいて、第１のクライアントから第２のクライアントにコンテンツを表すデジタル信号を伝送する伝送方法において、
上記第１のクライアントを用いて、請求項１乃至５８いずれか１項記載の信号処理方法を実行し、上記結合信号を生成し、該結合信号を特定する識別子を該結合信号に関連付けるステップと、
上記取引サーバに上記識別子及び暗号化された信号を復号するための少なくとも１つの鍵を供給するステップと、
上記取引サーバに上記識別子及び上記少なくとも１つの鍵を保存するステップと、
上記第２のクライアントに上記結合信号を送信するステップと、
上記結合信号に関連する識別子を導出するステップと、
上記第２のクライアントから上記取引サーバに上記識別子を送信するステップと、
所定の条件が満たされた場合、上記識別子に関連付けられ、上記暗号化された第１の信号を復号するための少なくとも１つの鍵を上記第２のクライアントプロセッサに送信するステップと、
上記第２のクライアントプロセッサを用いて該第２の信号から上記第１の信号を分離し、該第１の信号を復元するステップとを有する伝送方法。
【請求項９１】
デジタル信号を処理する信号処理方法において、
第１の情報を表す第１のデジタル信号を準備するステップと、
第２のデジタル信号を準備するステップと、
上記第２の信号の下位ビット（ＬＳＢ）を上記第１の信号のビットに置換し、該第２の信号の上位ビット（ＭＳＢ）を残し、該第１の信号が第２の信号における雑音として働くように上記第２の信号に上記第１の信号を埋め込むステップとを有する信号処理方法。
【請求項９２】
デジタル信号を処理する信号処理方法において、
第１の情報を表す第１のデジタル信号を準備するステップと、
第２のデジタル信号を準備するステップと、
上記比率Ｍ／Ｎを分子及び分母が整数の分数として、Ｎ個のサンプルのグループを選択し、該各グループのＮ個のサンプルに亘って、対応するＭ個のビットの組を分散させることによって上記第１の信号を第２の信号に埋め込むステップとを有する信号処理方法。
【請求項９３】
ａ）Ｘを０〜Ｎ−１のサンプルの序数的な番号とし、ＲをＭ／Ｎとし、Ｓ＝２Ｒとして、Ａ’［Ｘ］＝（Ａ［Ｘ］／Ｓ）＊Ｓに基づいて、上記Ｎ個のサンプルのそれぞれの値Ａをスケーリングするステップと、
ｂ）各ＸをＮ−１〜０とし、ＶをＶ−Ｖ／ＳＸに置換し、Ｘ＝Ｎ−１のときＶの初期値をＭビットの値として、Ｘ＞０の場合、Ａ’［Ｘ］をＡ”［Ｘ］＝Ａ’［Ｘ］＋Ｖ／ＳＸに置換し、Ｘ＝０の場合、Ａ”［０］＝Ａ’［０］＋ｍｏｄＳに置換するステップとを有する請求項９２記載の信号処理方法。
【請求項９４】
上記第１の信号は、圧縮された信号であることを特徴とする請求項９１乃至９３いずれか１項記載の信号処理方法。
【請求項９５】
上記第１の信号は、暗号化された信号であることを特徴とする請求項９１乃至９４いずれか１項記載の記載の信号処理方法。
【請求項９６】
デジタル信号を処理する信号処理方法において、
圧縮され及び／又は暗号化された信号であって、実質的に価値が低下されていない第１の情報を表す第１のデジタル信号を準備するステップと、
補助データ空間を有する圧縮フォーマットに基づいて圧縮された、第２の情報を表す暗号化されていない第２のデジタル信号を準備するステップと、
上記第２の信号の上記補助データ空間に上記第１の信号の少なくとも一部を格納して、上記実質的に価値が低下されていない第１の情報を含む第１の信号を、第２の信号に結合するステップとを有する信号処理方法。
【請求項９７】
上記第１の信号の一部は、第２の信号に添付されることを特徴とする請求項９６記載の信号処理方法。
【請求項９８】
上記第１の信号は、コンピュータプログラムを表すことを特徴とする請求項９１乃至９７いずれか１項記載の信号処理方法。
【請求項９９】
上記第２の信号は、オーディオ信号であることを特徴とする請求項９１乃至９８いずれか１項記載の信号処理方法。